(57)【要約】【課題】種々の施術部分に対し効率よく施術可能とする美容装置を提供する。【解決手段】グリップケース１に支持され、先端部で施術部を施術する弾性振動板と、グリップケース１内に収容され、弾性振動板を超音波振動させる超音波振動子５，６とを備えた美容装置において、弾性振動板は、幅の広い第一の弾性振動板３と、幅の狭い第二の弾性振動板４とを備えた。【選択図】図１
2012066200.tif 000002
【特許請求の範囲】
【請求項１】
グリップケースに支持され、先端部で施術部を施術する弾性振動板と、
前記グリップケース内に収容され、前記弾性振動板を超音波振動させる超音波振動子と
を備えた美容装置において、
前記弾性振動板は、
幅の広い第一の弾性振動板と、
幅の狭い第二の弾性振動板と
を備えたことを特徴とする美容装置。
【請求項２】
請求項１に記載の美容装置において、
前記第一の弾性振動板と第二の弾性振動板とを選択して振動させる振動板選択手段を備えたことを特徴とする美容装置。
【請求項３】
請求項１又は２に記載の美容装置において、
前記第一の弾性振動板と第二の弾性振動板を、前記グリップケースの先端からＶ字状に開くように突出させたことを特徴とする美容装置。
【請求項４】
請求項１又は２に記載の美容装置において、
前記第二の弾性振動板を前記グリップケースに前記第一の弾性振動板の長手方向に移動可能に支持し、前記第二の弾性振動板を前記第一の弾性振動板に対し出没可能としたことを特徴とする美容装置。
【請求項５】
請求項４に記載の美容装置において、
前記振動板選択手段は、
前記第二の弾性振動板の没入を検出して、前記第一の弾性振動板を振動させるとともに、前記第二の弾性振動板の振動を停止させる検出手段を備えたことを特徴とする美容装置。
【請求項６】
請求項３に記載の美容装置において、
前記第一の弾性振動板と第二の弾性振動板とを共通の超音波振動子で振動させることを特徴とする美容装置。
【発明の詳細な説明】
【技術分野】
【０００１】
この発明は、超音波振動する振動板で肌面を擦ることにより、肌面の汚れを除去する美容装置に関するものである。
【背景技術】
【０００２】
従来、超音波で振動する振動板を肌面に押し当てて、肌面に付着している角質、皮脂や化粧残りを除去するようにした美容装置が提案されている。このような美容装置は、特許文献１に開示されるように、超音波振動子の振動により弾性振動板が厚さ方向に振動し、その振動に基づいて肌面の汚れを除去するようになっている。
【先行技術文献】
【特許文献】
【０００３】
【特許文献１】特開平０６−３２８０４２
【発明の概要】
【発明が解決しようとする課題】
【０００４】
上記のような美容装置では、一枚の板状の弾性振動板を肌面に押し当てて汚れを除去する構成である。頬のような平坦で広い部分を施術するには、幅の広い弾性振動板が使い易く、小鼻のように起伏がある部分を施術する場合には幅の狭い弾性振動板が使い易い。
【０００５】
従って、一枚の弾性振動板を備えた美容装置では、全ての施術部分において使い易い美容装置とすることができないという問題点がある。
この発明の目的は、種々の施術部分に対し効率よく施術可能とする美容装置を提供することにある。
【課題を解決するための手段】
【０００６】
上記課題を解決するために、本発明の美容装置は、グリップケースに支持され、先端部で施術部を施術する弾性振動板と、グリップケース内に収容され、前記弾性振動板を超音波振動させる超音波振動子とを備えた美容装置において、弾性振動板は、幅の広い第一の弾性振動板と、幅の狭い第二の弾性振動板とを備えたことを特徴とする。
【０００７】
また、上記構成において、第一の弾性振動板と第二の弾性振動板とを選択して振動させる振動板選択手段を備えることが好ましい。
また、上記構成において、第一の弾性振動板と第二の弾性振動板を、グリップケースの先端からＶ字状に開くように突出させることが好ましい。
【０００８】
また、上記構成において、第二の弾性振動板をグリップケースに第一の弾性振動板の長手方向に移動可能に支持し、第二の弾性振動板を第一の弾性振動板に対し出没可能とすることが好ましい。
【０００９】
また、上記構成において、振動板選択手段は、第二の弾性振動板の没入を検出して、第一の弾性振動板を振動させるとともに、第二の弾性振動板の振動を停止させる検出手段を備えることが好ましい。
【００１０】
また、上記構成において、第一の弾性振動板と第二の弾性振動板とを共通の超音波振動子で振動させることが好ましい。
【発明の効果】
【００１１】
本発明によれば、種々の施術部分に対し効率よく施術可能とする美容装置を提供することができる。
【図面の簡単な説明】
【００１２】
【図１】第一の実施形態を示す平面図である。
【図２】第一の実施形態を示す断面図である。
【図３】第一の実施形態を示す側面図である。
【図４】第一の実施形態の電気的構成を示すブロック図である。
【図５】第二の実施形態を示す平面図である。
【図６】第二の実施形態を示す断面図である。
【図７】第二の実施形態の示す断面面である。
【図８】第二の実施形態の第二の弾性振動板を示す平面図である。
【図９】第二の実施形態の第二の弾性振動板を示す側面図である。
【図１０】第二の実施形態の制御部の動作を示すフローチャートである。
【図１１】第三の実施形態を示す平面図である。
【図１２】第三の実施形態を示す断面図である。
【図１３】第三の実施形態の超音波振動子を示す平面図である。
【発明を実施するための形態】
【００１３】
（第一の実施形態）
以下、この発明を具体化した第一の実施形態を図面に従って説明する。図１及び図２に示す美容装置は、筒状に形成されたグリップケース１内には基板２が配設され、その基板２にはステンレス等の金属で板状に形成された第一及び第二の弾性振動板３，４の基端部が支持されている。
【００１４】
前記第一の弾性振動板３の幅ｗ１は約２ｃｍ、第二の弾性振動板４の幅ｗ２は約５ｍｍで形成されている。そして、前記第一及び第二の弾性振動板２，３の先端部はグリップケース１の先端からＶ字状に開くように突出されている。
【００１５】
前記グリップケース１内の中央部には、前記第一の弾性振動板３の基端部に接する第一の超音波振動子５と、前記第二の弾性振動板４の基端部に接する第二の超音波振動子６が配設される。
【００１６】
前記基板２には前記第一及び第二の超音波振動子５，６の動作を制御する制御部７が配設され、前記グリップケース１の基端部には制御部７に電源を供給する電源部８が配設されている。電源部８は、充電式バッテリー、乾電池あるいは商用電源の供給に基づいて所要の電圧を生成する電源回路のいずれでもよい。
【００１７】
そして、制御部７の制御に基づいて第一及び第二の超音波振動子５，６が振動して、第一及び第二の弾性振動板３，４が厚み方向に１０kHz〜１００kHzの振動周波数で振動するようになっている。このとき、第一及び第二の弾性振動板３，４は先端に向かって振動振幅が増大するようになっている。
【００１８】
図３に示すように、前記第一及び第二の弾性振動板３，４は、前記グリップケース１の先端部において、振動板保持部材９ａ〜９ｄにより振動可能に保持されている。
図４は、上記美容装置の電気的構成を示す。操作スイッチ１０及び振動板選択スイッチ１１は、前記グリップケース１の外周面に形成される。振動板選択スイッチ１１は、前記第一の弾性振動板３と第二の弾性振動板４のいずれを振動させるか、すなわち第一及び第二の超音波振動子５，６のいずれを作動させるかを選択するスイッチである。
【００１９】
そして、操作スイッチ１０がオン状態となると、例えば振動板選択スイッチ１１で選択された第一の超音波振動子５が制御部７の制御に基づいて作動して、第一の弾性振動板３が振動する。また、振動板選択スイッチ１１で第二の超音波振動子６が選択されると、第二の弾性振動板４が振動する。
【００２０】
このように構成された美容装置では、操作スイッチ１０をオン状態とし、さらに振動板選択スイッチ１１で第一の弾性振動板３の動作を選択すると、第一の弾性振動板３が振動する。この状態では、第一の弾性振動板３により頬のような平坦で広い部分の施術が容易である。
【００２１】
また、振動板選択スイッチ１１で第二の弾性振動板４の動作を選択すると、第二の弾性振動板４が振動する。この状態では、第二の弾性振動板４により小鼻のように起伏がある部分の施術が容易である。
【００２２】
上記のように構成された美容装置では、次に示す作用効果を得ることができる。
（１）超音波振動する第一の弾性振動板３若しくは第二の弾性振動板４で肌面（施術部）を擦ることにより、肌面の汚れを落とすことができる。
（２）第一の弾性振動板３と第二の弾性振動板４とを選択して使用することにより、平坦で広い肌面と、起伏がある肌面とを効率よく施術することができる。
（３）振動板選択スイッチ１１の操作により、第一の弾性振動板３の動作と、第二の弾性振動板４の動作とを切り替えることができる。従って、弾性振動板の交換作業を必要とすることはない。
（第二の実施形態）
図５〜図１０は、第二の実施形態を示す。この実施形態は、第二の弾性振動板４を第一の弾性振動板３に対し出没可能としたものである。前記第一の実施形態と同一構成部分は、同一符号を付して詳細な説明を省略する。
【００２３】
図５及び図６に示すように、第二の弾性振動板４は第一の弾性振動板３の下方で、第一の弾性振動板３の長手方向に移動可能に支持されている。
具体的に説明すると、図８及び図９に示すように、第二の弾性振動板４の長手方向中間部の両側縁には保持部１２が取着され、各保持部１２の側面にはローラー１３が回転可能に支持されている。このローラー１３は、保持部１２に対し第二の弾性振動板４の厚さ方向に支持された回転軸で回転可能に支持され、その一部が保持部１２から側方へ露出されている。
【００２４】
そして、前記ローラー１３は前記グリップケース１に前記第一の弾性振動板３に沿って設けられたレール１４に移動可能に支持されている。この結果、図６に示すように、第二の弾性振動板４は第一の弾性振動板３の下方に収容される状態から、図７に示す第一の弾性振動板３より突出する状態までの範囲で、第一の弾性振動板３に対し出没可能に支持されている。
【００２５】
なお、前記レール１４には、前記保持部１２と弾性的に係脱可能に係合して、第二の弾性振動板４の最大移動範囲を規制する位置決め手段（図示しない）が設けられる。
前記グリップケース１内には、前記第二の弾性振動板４の位置を検出する投光器１５及び受光器１６が設けられている。この投光器１５及び受光器１６は、第二の弾性振動板４の両側において、第二の弾性振動板４がグリップケース１内に向かって最も没入したとき、投光器１５から発せられる光が第二の弾性振動板４で遮られて受光器１６に達しないように設けられている。
【００２６】
そして、受光器１６の検出信号が前記制御部７に出力され、制御部７はその検出信号に基づいて第二の弾性振動板４が最大没入位置まで没入したことを検知するようになっている。上記以外の構成は、前記第一の実施形態と同様である。
【００２７】
次に、この実施形態の美容装置の制御部７の動作を図１０に従って説明する。操作スイッチ１０がオン状態となると（ステップ１）、制御部７は受光器１６で投光器１５からの光を検出しているか否かを判定する（ステップ２）。受光器１６で投光器１５からの光を受光できない場合には、第二の弾性振動板４が最大没入位置まで移動していることを検出してステップ３に移行し、第一の超音波振動子５を作動させて、第一の弾性振動板３を振動させる。
【００２８】
また、ステップ２において、受光器１６で投光器１５からの光を受光している場合には、第二の弾性振動板４が最大没入位置から移動していることを検出してステップ４に移行する、そして、第一の超音波振動子５の作動を停止させるとともに、第二の超音波振動子６を作動させて、第二の弾性振動板４を振動させる。
【００２９】
そして、ステップ３あるいはステップ４の状態で動作している状態から操作スイッチ１０がオフされると、第一の超音波振動子５若しくは第二の超音波振動子６の作動が停止される（ステップ６）。
【００３０】
上記のように構成された美容装置では、第一の実施形態で得られた作用効果に加えて、次に示す作用効果を得ることができる。
（１）第二の弾性振動板４を第一の弾性振動板３に沿って出没可能とすることができる。従って、第一の弾性振動板３を使用するとき、第二の弾性振動板４を没入させることができるので、第一の弾性振動板３による施術時に、第二の弾性振動板４が邪魔になることはない。
（２）第二の弾性振動板４を最大没入位置まで移動させたとき、第一の弾性振動板３を自動的に振動させることができる。また、第二の弾性振動板４を最大没入位置から施術位置に移動させると、第一の弾性振動板３の振動を停止させ、第二の弾性振動板４を自動的に振動させることができる。
（第三の実施形態）
図１１〜図１３は、第三の実施形態を示す。この実施形態は、第一の実施形態の第一及び第二の弾性振動板３，４を共通の超音波振動子で振動させるようにしたものである。
【００３１】
図１１及び図１２に示すように、第一の弾性振動板３と第二の弾性振動板４の先端部は、第一の実施形態と同様に、グリップケース１の先端からＶ字状に開くように突出されている。
【００３２】
第一の弾性振動板３と第二の弾性振動板４の基端部は、グリップケース１内で上下方向に重なり、その間に超音波振動子１７が配設されている。そして、超音波振動子１７の作動により、第一及び第二の弾性振動板３，４が振動するようになっている。
【００３３】
図１３に示すように、前記超音波振動子１７は円盤状に形成されるとともに、周方向に等間隔に４つの電極１８ａ〜１８ｄが形成されている。そして、前記振動板選択スイッチ１１の操作に基づく制御部７の動作により、第一の弾性振動板３が選択されると、信号線１９ａ，１９ｂを介して電極１８ａ，１８ｂ間に所要の電圧が印加される。また、第二の弾性振動板４が選択されると、信号線１９ｃ，１９ｄを介して電極１８ｃ，１８ｄ間に所要の電圧が印加される。
【００３４】
このような超音波振動子１７は、電極１８ａ，１８ｂ間に電圧が印加されると、第一の弾性振動板３に伝播し易い方向に振動し、その振動により第一の弾性振動板３が振動する。また、電極１８ｃ，１８ｄ間に電圧が印加されると、超音波振動子１７は第二の弾性振動板４に伝播し易い方向に振動し、その振動により第二の弾性振動板４が振動する。
【００３５】
上記以外の構成は、第一の実施形態と同様である。
このような構成により、振動板選択スイッチ１１の操作に基づいて、第一の弾性振動板３と第二の弾性振動板４とのいずれかを選択して振動させることができる。
【００３６】
上記のように構成された美容装置では、第一の実施形態で得られた作用効果に加えて、次に示す作用効果を得ることができる。
（１）第一の弾性振動板３と第二の弾性振動板４とを共通の超音波振動子１７で振動させることができる。
【００３７】
上記実施形態は、以下の態様で実施してもよい。
・弾性振動板は、３枚以上としてもよい。
・第二の実施形態において、第一の弾性振動板３もグリップケース１に対し出没可能としてもよい。
【符号の説明】
【００３８】
１…グリップケース、３…第一の弾性振動板、４…第二の弾性振動板、５…第一の超音波振動子、６…第二の超音波振動子、７…振動板選択手段（制御部）、１１…振動板選択手段（振動板選択スイッチ）、１５…検出手段（投光器）、１６…検出手段（受光器）、１８ａ〜１８ｄ…振動板選択手段（電極）。
【図１】
2012066200.tif 000003
【図２】
2012066200.tif 000004
【図３】
2012066200.tif 000005
【図４】
2012066200.tif 000006
【図５】
2012066200.tif 000007
【図６】
2012066200.tif 000008
【図７】
2012066200.tif 000009
【図８】
2012066200.tif 000010
【図９】
2012066200.tif 000011
【図１０】
2012066200.tif 000012
【図１１】
2012066200.tif 000013
【図１２】
2012066200.tif 000014
【図１３】
2012066200.tif 000015